(57)【要約】【課題】作業性が良く、安全性に富み、施工効率に優れたブロックマットの敷設方法及び装置を提供する。【解決手段】ブロックマットの一方の余端部を把持装置により把持し、ブロックマットの他方の余端部を２本の平行な係止棒を含む挟持装置で挟持した状態で該２本の平行な係止棒に巻付け、前記挟持装置の両端と前記把持装置の両端をブロックマットよりも短い一対の連結吊りワイヤーで連結し、前記把持装置側のみをクレーンで吊り上げるようにしたことを特徴とする。【選択図】図６
2005171577.tif 000002
【特許請求の範囲】
【請求項１】
ブロックマットをクレーンで吊り上げて法面に敷設する方法において、ブロックマットの一方の余端部を把持装置により把持し、ブロックマットの他方の余端部を２本の平行な係止棒を含む挟持装置で挟持した状態で該２本の平行な係止棒に巻付け、前記挟持装置の両端と前記把持装置の両端をブロックマットよりも短い一対の連結吊りワイヤーで連結し、前記把持装置側のみをクレーンで吊り上げるようにしたことを特徴とするブロックマットの敷設方法。
【請求項２】
前記挟持装置が第１及び第２係止棒と該第１係止棒の両端にそれぞれ固着された一対の丸環とから成り、前記第１係止棒をブロックマットの他方の余端部の折り返し部に収納し、前記第２係止棒をその両端を前記一対の丸環にそれぞれ挿入しつつ前記折り返し部の上に載置することにより前記第１及び第２係止棒の間に前記他方の余端部を挟持し、その状態で前記余端部を前記第１及び第２係止棒に巻きつけた後前記一対の丸環に前記一対の連結吊りワイヤーを連結するようにしたことを特徴とする、請求項１に記載のブロックマットの敷設方法。
【請求項３】
ブロックマットをクレーンで吊り上げて法面に敷設する敷設装置において、ブロックマットの一方の余端部を把持する把持装置と、ブロックマットの他方の余端部を挟持しつつ該他方の余端部が捲き付けられる２本の平行な係止棒を含む挟持装置と、前記挟持装置の両端と前記把持装置の両端とを連結するブロックマットよりも短い一対の連結吊りワイヤーとを有し、前記把持装置側のみをクレーンで吊り上げるようにしたことを特徴とするブロックマットの敷設装置。
【請求項４】
前記挟持装置が第１及び第２係止棒と該第１係止棒の両端にそれぞれ固着された一対の丸環とから成り、前記第１係止棒をブロックマットの他方の余端部の折り返し部に収納し、前記第２係止棒をその両端を前記一対の丸環にそれぞれ挿入しつつ前記折り返し部の上に載置することにより前記第１及び第２係止棒の間に前記他方の余端部を挟持し、その状態で前記余端部を前記第１及び第２係止棒に巻きつけた後前記一対の丸環に前記一対の連結吊りワイヤーを連結するようにしたことを特徴とする、請求項３に記載のブロックマットの敷設装置。
【請求項５】
前記第１及び第２係止棒が同一外径を有し、前記一対の丸環の内幅が前記第１及び第２係止棒の外径と等しく且つ内長が該外径の２倍より長いことを特徴とする、請求項４に記載のブロックマットの敷設装置。
【請求項６】
前記第１係止棒の両端に一対の締結金具がそれぞれ固着され、該一対の締結金具により前記第１及び第２係止棒を前記ブロックマットの他方の余端部を介して密接させるようにしたことを特徴とする、請求項４または５に記載のブロックマットの敷設装置。
【発明の詳細な説明】
【技術分野】
【０００１】
本発明は、高強度のジオテキスタイルシート（フィルターシート）と多数のコンクリートブロックを工場にて一体化してなるブロックマットを法面上に簡便に敷設する方法及び装置に関する。
【背景技術】
【０００２】
従来、護岸または河川堤防等の法面の保護を目的として、予めジオテキスタイル等のフィルターシートに多数のコンクリートブロックを一体化してなるブロックマット（特公平１−３５１０６号公報参照）を用意し、保護すべき法面を整地した上にこのマットを敷設することが広く行われている。そして、ブロックマットを現場で敷設する場合、吊り上げビームの両端に把持装置を取付けて成る吊り上げ装置（特公昭６１−３５３３２号公報参照）を用い、ブロックマットの両端のブロックが固着されていないフィルターシートのみからなる両余端部を把持装置で把持し、この状態で吊り上げビームに吊りワイヤーを掛けてクレーン等の吊り上げ機械により、ブロックマットを吊り上げ装置と一緒に吊り上げるようにしていた。
【特許文献１】特公平１−３５１０６号公報
【特許文献２】特公昭６１−３５３３２号公報
【発明の開示】
【発明が解決しようとする課題】
【０００３】
ところが、この従来の吊り上げ装置は、吊り上げビームが形鋼部材から構成されているため重量が重く、ブロックマット敷設時には大型の吊り上げ機械（例えば、１５〜２５トンのクレーン車）が必要であり、施工現場の敷地条件が悪い（例えば地盤が軟弱である）と敷設工事が出来ないなど、現場条件の制約を受けるという欠点があった。
【０００４】
また、法面勾配が１：１．５よりも小さい場合には、ブロックマットの両端を把持して吊り上げた状態で敷設するとブロックマットが滑動してしまうので、ブロックマットの片側の余端部を把持して吊り上げ、もう一方の端部からアンカーピンでブロックマットを固定していく方法が取られていた。しかし、ブロックマットの片側の余端部を把持して吊り上げた場合、反対側の端部は自由な状態であって風などにより簡単に捩れてしまうので、片側の端部を敷設位置に合わせる際にブロックマットの下に入らなければならず、ブロックマットが落下した場合大怪我をする危険がある。また、ブロックマットの片側の余端部を把持して吊り上げる方法は、ブロックマットの全荷重が片側の余端部にかかることになり、ブロックマットの両端の余端部を把持して吊り上げる場合に比べて、フィルターシートの強度の安全率が低下するため、偏荷重が作用したり、風によりブロックマットが振られた場合に、フィルターシートが容易に破断してしまうという問題があった。
【０００５】
本発明は、上記問題点に鑑み、作業性が良く、安全性に富み、施工効率に優れたブロックマットの敷設方法及び装置を提供することを目的とする。
【課題を解決するための手段】
【０００６】
上記目的を達成するために、本発明によるブロックマットの敷設方法の一態様は、
ブロックマットをクレーンで吊り上げて法面に敷設する方法において、ブロックマットの一方の余端部を把持装置により把持し、ブロックマットの他方の余端部を２本の平行な係止棒を含む挟持装置で挟持した状態で該２本の平行な係止棒に巻付け、前記挟持装置の両端と前記把持装置の両端をブロックマットよりも短い一対の連結吊りワイヤーで連結し、前記把持装置側のみをクレーンで吊り上げるようにしたことを特徴とするものである。
【０００７】
上記方法において、
前記挟持装置が第１及び第２係止棒と該第１係止棒の両端にそれぞれ固着された一対の丸環とから成り、前記第１係止棒をブロックマットの他方の余端部の折り返し部に収納し、前記第２係止棒をその両端を前記一対の丸環にそれぞれ挿入しつつ前記折り返し部の上に載置することにより前記第１及び第２係止棒の間に前記他方の余端部を挟持し、その状態で前記余端部を前記第１及び第２係止棒に巻きつけた後前記一対の丸環に前記一対の連結吊りワイヤーを連結するようにするのが好ましい。
【０００８】
また、本発明によるブロックマットの敷設装置の一態様は、
ブロックマットをクレーンで吊り上げて法面に敷設する敷設装置において、ブロックマットの一方の余端部を把持する把持装置と、ブロックマットの他方の余端部を挟持しつつ該他方の余端部が捲き付けられる２本の平行な係止棒を含む挟持装置と、前記挟持装置の両端と前記把持装置の両端とを連結するブロックマットよりも短い一対の連結吊りワイヤーとを有し、前記把持装置側のみをクレーンで吊り上げるようにしたことを特徴とするものである。
【０００９】
上記装置において、
前記挟持装置が第１及び第２係止棒と該第１係止棒の両端にそれぞれ固着された一対の丸環とから成り、前記第１係止棒をブロックマットの他方の余端部の折り返し部に収納し、前記第２係止棒をその両端を前記一対の丸環にそれぞれ挿入しつつ前記折り返し部の上に載置することにより前記第１及び第２係止棒の間に前記他方の余端部を挟持し、その状態で前記余端部を前記第１及び第２係止棒に巻きつけた後前記一対の丸環に前記一対の連結吊りワイヤーを連結するようにしたことを特徴とするものである。
【００１０】
また、上記装置において、
前記第１及び第２係止棒が同一外径を有し、前記一対の丸環の内幅が前記第１及び第２係止棒の外径と等しく且つ内長が該外径の２倍より長いのが好ましい。
【００１１】
さらに、上記装置において、
前記第１係止棒の両端に一対の締結金具がそれぞれ固着され、該一対の締結金具により前記第１及び第２係止棒を前記ブロックマットの余端部を介して密接させるようにしても良い。
【発明の効果】
【００１２】
本発明によるブロックマットの敷設方法及び装置によれば、ブロックマットの上側端部は把持装置を介してクレーンにより吊り上げられ且つブロックマットの下側端部は挟持装置により挟持され且つその両側端部が把持装置に連結されている一対の連結吊りワイヤーで引っ張られているので、風などよるブロックマットの捩れがほとんどない。また、クレーンにより吊り上げられたブロックマットの下側端部は、連結吊りワイヤーがブロックマットの長手方向の長さより短いことにより湾曲するので、ブロックマットの捩れが一層確実に防止される。従って、敷設時にブロックマットの下端部の位置合わせが容易となり、作業員がブロックマットの下に入る必要がなくなり、危険が防止される。
【００１３】
ブロックマットの上側端部は把持装置を介してクレーン車により吊り上げられ且つブロックマットの下側端部は挟持装置により挟持され且つその両側端部が把持装置に連結されている一対の連結吊りワイヤーで引っ張られているので、ブロックマットの荷重がその両端の余端部にかかることになり、ブロックマットの両端の余端部を把持して吊り上げる場合に比べても、フィルターシートの強度の安全率は低下せず、偏荷重が作用したり、風によりブロックマット１が振られても、フィルターシートの破断が起こり難い。
【００１４】
また、このブロックマットの敷設方法に用いられる吊り上げ装置は、１つの把持装置と軽量な挟持装置と一対の連結吊りワイヤーから成る非常に簡便且つ軽量なものとなっているので、大きな吊り上げ機械を必要とせず、施工現場の敷地条件が多少悪くても（例えば地盤が軟弱であっても）敷設工事が可能であり、現場条件の制約を受け難い。
【発明を実施するための最良の形態】
【００１５】
本発明によるブロックマットの敷設方法及び装置の一実施形態を図面に基づき説明する。
まず、図１に示したように、ブロックマット１の一側の余端部を鋼材からなる把持装置２で把持する。このブロックマット１は、ジオテキスタイル等のフィルターシート１０１に多数のコンクリートブロック１０２を一体化してなるものである。また、把持装置２は、略矩形の枠体２０１と、枠体２０１に枢支されたリンクレバー２０２と、リンクレバー２０２に枢着され且つその両端が枠体２０１の各側枠内側に設けられた一対のガイド２０３，２０３により案内された押圧部材２０４とからなり、リンクレバー２０２を図面裏側から表側に回動させることにより、枠体２０１の下枠と押圧部材２０４との間にブロックマット１のフィルターシート１０１の一側の余端部１０１ａを把持し得るようになっている。なお、この把持状態を固く維持するために、図示しないロック機構がこの把持装置２に設けられている。
【００１６】
また、この把持装置２は、その枠体２０１の上枠に設けられた一対の掛金具２０５に連結した吊りワイヤー３を介してクレーン等により吊り上げ可能となっている。さらに、把持装置２の枠体２０１の両側枠の外側にはそれぞれ丸環２０６が溶接等により固着されていて、ブロックマット１の他側（反対側）の余端部を挟持する後述の挟持装置と連結される連結吊りワイヤー４が各丸環２０６に連結されている。なお、連結吊りワイヤー４は、ブロックマット１の長手方向の長さによりも短いものである。
【００１７】
図２は、ブロックマット１の他側の余端部を挟持する挟持装置５の一例の分解斜視図である。５０１は鋼材から成る第１係止棒であって、その長さはブロックマット１のフィルターシート１０１の横幅より少し長くなっている。第１係止棒５０１の両端部にはブロックマット１のフィルターシート１０１の横幅にほぼ相当する間隔で一対の長円の丸環５０２，５０２が溶接等により固着されている。丸環５０２の内幅ａは第１係止棒５０１の外径に等しく且つ内長ｂは第１係止棒５０１の外径の２倍に連結吊りワイヤー４のフックを掛けるのに十分な間隙分を足したものとなっている。５０３は、第１係止棒５０１と同一の長さで同一の外径を有する鋼材から成る第２係止棒である。
【００１８】
次に、この挟持装置５を用いてブロックマット１の余端部を挟持する手順について説明する。
まず、ブロックマット１のフィルターシート１０１の他側の余端部１０１ｂ上に第１係止棒５０１を載置した後余端部１０１ｂを折り返して、図３に示したように、折り返し部分内に第１係止棒５０１を収納する。この時、一対の丸環５０２，５０２は立直した状態にしておく。
【００１９】
次に、図４に示したように、第２係止棒５０３をその両端を一対の丸環５０２，５０２に通した状態で折り返し部の上に載置する。すなわち、この時第１係止棒５０１と第２係止棒５０３との間の余端部１０１ｂの折り返し部を挟んだ状態となっている。
【００２０】
次に、上記状態のまま、即ち余端部１０１ｂの折り返し部に収納されたままの第１及び第２係止棒５０１及び５０３をブロックシート１の内側へ、即ちコンクリートブロック１０２の方へ回転させて、図５に示したように、第１及び第２係止棒５０１及び５０３が余端部１０１ｂにより多重に巻かれた状態にする。そして、一対の丸環５０２，５０２に一対の連結吊りワイヤー４，４のフックを掛ける。
【００２１】
次に、ブロックマット１のフィルターシート１０１の余端部１０１ａを把持装置２で把持した状態でクレーン車６で吊り上げると、図６に示したような状態となる。この時ブロックマット１による荷重の反力であるクレーン車６による吊り上げ力Ｆは、図７に示したように、フィルターシート１０１を介する引っ張り力Ｆ１と連結吊り上げワイヤー４を介する引張力Ｆ２として作用し、引張力Ｆ１及びＦ２は第１及び第２係止棒５０１及び５０３を余端部１０１ｂを介して互いに密接させる力として作用する。従って、両係止棒５０１及び５０３とそれらの間に挟まれた余端部１０１ｂとの間の摩擦力が増大するので、挟持装置５により余端部１０１ｂが強固に挟持され、該余端部１０１ｂの引き抜けが確実に防止される。ここで、ブロックマット１による荷重が大きければ大きいほど両係止棒５０１及び５０３相互の密接力が一層強まり、それらの間に余端部１０１ｂが一層強く挟持されるので、該余端部１０１ｂの引抜けが一層確実に防止される。
【００２２】
かくして、図６に示したような状態で、かなり急傾斜な法面７上へのブロックマット１の敷設が行われるが、本発明によるブロックマットの敷設方法によれば、ブロックマット１の上側端部は把持装置２を介してクレーン車６により吊り上げられ且つブロックマット１の下側端部は挟持装置５により挟持され且つその両側端部が把持装置２に連結されている一対の連結吊りワイヤー４，４で引っ張られているので、風などよるブロックマット１の捩れがほとんどない。また、クレーン車６により吊り上げられたブロックマット１の下側端部は、連結吊りワイヤー４，４がブロックマット１の長手方向の長さより短いことにより図６に示したように湾曲するので、ブロックマット１の捩れが一層確実に防止される。従って、敷設時にブロックマット１の下端部の位置合わせが容易となり、作業員がブロックマット１の下に入る必要がなくなり、危険が防止される。
【００２３】
ブロックマット１の上側端部は把持装置２を介してクレーン車６により吊り上げられ且つブロックマット１の下側端部は挟持装置５により挟持され且つその両側端部が把持装置２に連結されている一対の連結吊りワイヤー４，４で引っ張られているので、ブロックマット１の荷重がその両端の余端部にかかることになり、ブロックマットの両端の余端部を把持して吊り上げる場合に比べても、フィルターシート１０１の強度の安全率は低下せず、偏荷重が作用したり、風によりブロックマット１が振られても、フィルターシート１０１の破断が起こり難い。
【００２４】
また、このブロックマットの敷設方法に用いられる吊り上げ装置は、１つの把持装置２と軽量な挟持装置５と一対の連結吊りワイヤー４，４から成る非常に簡便且つ軽量なものとなっているので、大きな吊り上げ機械を必要とせず、施工現場の敷地条件が多少悪くても（例えば地盤が軟弱であっても）敷設工事が可能であり、現場条件の制約を受け難い。
【００２５】
図８は他の挟持装置５‘の分解斜視図であり、これは下記の点で上記挟持装置５と異なっている。
即ち、第１係止棒５０１‘は、上記第１係止棒５０１の両端を図示のようにカットして、それぞれのカット部に締結金具５０４の基部５０４ａを溶接等により固着してなるものである。この締結金具５０４の軸部５０４ｂは蝶番を介して基部５０４ａに結合されていることにより第１係止棒５０１’の中心軸を含む平面内で揺動可能であり、該軸部５０４ｂには座金５０４ｃが挿嵌され、さらに蝶ねじ５０４ｄが螺合せしめられている。さらに、第１係止棒５０１‘の両端のカットされていない部分には、揺動させられた軸部５０４ｂが入り込むことができる溝５０１’ａが形成されている。また、第２係止棒５０３‘は、上記第２係止棒５０３の両端を図示のようにカットしてなるものであり、それぞれのカットされていない部分には、揺動させられた締結金具５０４の軸部５０４ｂが入り込むことができる溝５０３’ａが形成されている。
【００２６】
そして、上記挟持装置５の代わりにこの挟持装置５‘を用いて、上記図４に示したような状態を作り出し、一対の締結金具５０４の各軸部５０４ｂを揺動して第１及び第２係止棒５０１’及び５０３‘の溝５０１’ａ及び５０３‘ａに入り込ませ、各蝶ねじ５０４ｄを各座金５０４ｃを介して締め付ければ、第１及び第２係止棒５０１’及び５０３‘はブロックマット１のフィルターシート１０１の余端部１０１ｂを介して互いに強く密接させられる。従って、両係止棒５０１’及び５０３‘とそれらの間に挟まれた余端部１０１ｂとの間の摩擦力が一層増大するので、挟持装置５により余端部１０１ｂが一層強固に挟持され、該余端部１０１ｂの引き抜けが一層確実に防止される。
【００２７】
なお、上記係止棒としては、フィルターシートとの摩擦係数が大きくて滑りにくいものが好ましい。また、フィルターシートを傷つけない形状のものが好ましい。
【図面の簡単な説明】
【００２８】
【図１】本発明によるブロックシートの敷設方法及び装置の一実施形態において、ブロックシートの一方の余端部を把持装置により把持した状態を示す正面図である。
【図２】上記一実施形態において、ブロックシートの他方の余端部を挟持するための挟持装置の一例の分解斜視図である。
【図３】上記挟持装置の一例の第１係止棒をブロックシートの他方の余端部の折り返し部内に収納した状態を示す斜視図である。
【図４】上記挟持装置の一例の第２係止棒を第１係止棒に固着された丸環に通した状態で上記折り返し部の上に載置した状態を示す斜視図である。
【図５】上記第１及び第２係止棒を上記他方の余端部で多重に巻き且つ上記丸環に連結ワイヤーを連結した状態を示す斜視図である。
【図６】ブロックシートの上記他方の余端部を図５に示すようにして挟持し且つブロックシートの上記一方の余端部を把持装置により把持してクレーン車で吊り上げた時の全体像を示す概略図である。
【図７】図６に示した状態で上記挟持装置に引張力が作用することを示す断面図である。
【図８】挟持装置の他例の分解斜視図である。
【符号の説明】
【００２９】
１…ブロックシート、１０１…フィルターシート、１０１ａ，１０１ｂ…余端部、１０２…コンクリートブロック、２…把持装置、２０１…枠体、２０２…リンクレバー、２０３…ガイド、２０４…押圧部材、２０５…掛金具、２０６…丸環、３…吊りワイヤー、４…連結吊りワイヤー、５…挟持装置、５０１…第１係止棒、５０２…丸環、５０３…第２係止棒、５‘…挟持装置、５０１’…第１係止棒、５０２‘…丸環、５０３’…第２係止棒、５０４…締結金具、６…クレーン車、７…法面。
【図１】
2005171577.tif 000003
【図２】
2005171577.tif 000004
【図３】
2005171577.tif 000005
【図４】
2005171577.tif 000006
【図５】
2005171577.tif 000007
【図６】
2005171577.tif 000008
【図７】
2005171577.tif 000009
【図８】
2005171577.tif 000010